(57)【要約】【課題】  手を汚さずに極めて簡便に取り扱え、ゴミ入りポリ袋の投入及び回収が容易にできる折畳ゴミ置き場で、路上の収集場所に山積みされるゴミ入りポリ袋をカラスや野良ネコ等によるゴミ散乱公害から守り、衛生的で、しかも街の景観を損なうことをなくす。【解決手段】  パイプ材でなる２枚の四角い支持部材をＸ字型に交差して組み立て、前記Ｘ字型に交差する部分を、各々軸継手で止め、無蓋で開口前面の四角い箱型に縫製したネット材の容器を上から嵌め込み、ネット材上端の前後を、前記支持部材上部の前後に固定し、又、前方支持部材上部左右両端に、伸縮自在の帯部材の左右両端を止め、前記帯部材と支持部材前方上部を結ぶ縦方向に多数の紐部材でなる被覆材で覆った開口上面の被覆体を有し、且、前記開口前面のネット材下辺に開閉用の棒部材を施してなる。【選択図】      図１
2005187186.tif 000002
【特許請求の範囲】
【請求項１】
２枚の四角い枠材をＸ字型に交差させ、前記Ｘ字型に交差する部分を、各々軸継手で止めて折畳み可能に組み立てた支持枠体内に、頂面を開口するとともに前面の左右側辺ならびに下辺を開放して前面を下から上へ開口できるように被覆部材にネット材を用いて縫製した四角い無蓋の箱型を呈する容器状被覆体を嵌め込み、前記被覆体の前面と後面の各上辺を前記支持枠体における前方枠材の上辺と後方枠材の上辺に各々固定し、又、伸縮自在の帯部材を、前記支持枠体における前方枠材の上辺枠両端に設けた取付金具に、各々止めて前記支持枠体の前方枠材上辺枠に沿って配置し、更に、前記被覆体の開口した頂面を前記伸縮自在の帯部材と、これに対峙する前記支持枠体の後方枠材上辺枠との間に多数の紐部材からなる蓋部材を一定間隔に保ち並べて架設してなる蓋体で覆い、且、前記被覆体の前面下辺に沿って重り兼用の取手付き開口用棒部材を、又、後面下辺に沿って重り用の棒部材を施してなることを特徴とする折畳ゴミ置き場。
【請求項２】
前記四角い無蓋の箱型を呈する容器状被覆体の代わりに底面のない四角い囲い状被覆体にしてなる請求項１記載の折畳ゴミ置き場。
【請求項３】
前記被覆部材にネット材を用いて縫製した四角い無蓋の箱型を呈する容器状被覆体、若しくは底面のない四角い囲い状被覆体の素材にネット材の代わりに、左右両側面をジャバラ状に形状記憶加工した撥水性布地材を被覆部材に用いてなる請求項２記載の折畳ゴミ置き場。
【請求項４】
前辺に伸縮自在の帯部材を、これに対峙する後辺に棒部材を配し、前記前辺の伸縮自在の帯部材と後辺棒部材との間に多数の紐部材からなる蓋部材を一定間隔に保ち並べて架設してなる蓋体を作り、又、前記支持枠体における前方枠材の上辺枠に止め具を、更に後方枠材の上辺枠に止め金を設け、前記蓋体、即ち前記帯部材と棒部材を、容易に取り外しができるように止めてなる請求項１乃至３いずれかに記載のゴミ置き場。
【請求項５】
前記２枚の四角い枠材をＸ字型に交差する軸継手にバネ部材を施して前記２枚の枠材を互いに拡開する方向へ付勢し、且、前記支持枠体における後方枠材の上辺枠に取手付止め具を設けてなる請求項１乃至５いずれかに記載の折畳ゴミ置き場。
【請求項６】
３枚の四角い枠材を用い、１枚を後面、他の２枚を対向する左右両側面に配置し、前記後面と左右両側面とを各々パイプ蝶番で継いだ支持枠体内に、頂面を開口するとともに前面の左右並びに下辺を開放して前面を下から上へ開口可能にネット材を用いて縫製した四角い無蓋の箱型を呈する容器状被覆体若しくは四角い囲い状の被覆体を嵌め込み、前記２つの被覆体いずれかを前記支持枠体の各枠材に固定し、又、伸縮自在の帯部材を、前記左右側面に位置する支持枠体の両上辺の前方枠材に設けた取付金具に各々止めて、前面被覆体上辺に併行して配置し、更に、前記蓋体の開口した頂面を前記伸縮自在の帯部材と、これに対峙する前記後面の支持枠体の上辺枠材との間に多数の紐部材からなる蓋部材を一定間隔に保ち並べて架設してなる蓋体で覆い、且、前記被覆体における前面の下辺に沿って取手付前面開口用棒部材を施してなることを特徴とする折畳ゴミ置き場。
【請求項７】
前記四角い無蓋の箱型を呈する容器状被覆体若しくは四角い囲い状の被覆体いずれかにおける前面の両側に開口用のバネ内蔵継手付枠材を施してなることを特徴とする請求項６記載の折畳ゴミ置き場。
【請求項８】
前記伸縮自在の帯部材に非固定型取手を施してなる請求項１乃至７いずれかに記載の折畳ゴミ置き場。
【請求項９】
前記伸縮自在の帯部材にフック付非固定型取手を施してなる請求項１乃至８いずれかに記載の折畳ゴミ置き場。
【請求項１０】
前記非固定型取手又はフック付非固定型取手を複数設けてなる請求項１乃至９いずれかに記載の折畳ゴミ置き場。
【請求項１１】
前記伸縮自在の帯部材がコイルバネでなる請求項１乃至１０いずれかに記載の折畳ゴミ置き場。
【請求項１２】
前記支持枠体の後方下部左右両端に固定金具を有する請求項１乃至１１いずれかに記載の折畳ゴミ置き場。
【請求項１３】
前記支持枠体において、上部で対峙する前方枠材と後方枠材との間に、縦に複数のレール用ロープを渡し、各々先端を前方及び後方の枠材に止め、前記ロープとロープの間に蓋部材として撥水性布地材又はネット材を張り、前記蓋部材の前方へ、前方枠材に平行するように取手付蓋体開口用棒部材を取付け、更にレール用ロープと蓋部材とを多数の二重リングで結んでなる蓋体を有する請求項１乃至１２いずれかに記載の折畳ゴミ置き場。
【請求項１４】
前記支持枠体における開口部分の支持枠材下辺にコロを施してなる請求項１乃至１３いずれかに記載の折畳ゴミ置き場。
【請求項１５】
前記四角い無蓋の箱型を呈する容器状被覆体若しくは四角い囲い状の被覆体いずれかの前面下辺に沿って取り付けた重り兼用の取手付き開口用棒部材及び後面下辺に沿って取り付けた重り用の棒部材の代わりに、前記支持枠体の前後左右４本の枠材下部に重り用リングを通し、これら支持枠体の枠材に対峙する被覆体の下端四隅に、各々前記重り用リングを結んで固定し、又、蓋体は投入口を持ち開口時に開口用蓋部材を支える蓋部材と開口用蓋部材でなる二重構造とし、前記投入口を持ち開口時に開口蓋部材を支える蓋部材の上面に開口用取手付棒部材を取り付け、更に被覆体の開口前面にはファスナー若しくは面ファスナーを施してなる請求項１乃至５及び８乃至１４いずれかに記載の折畳ゴミ置き場。
【請求項１６】
前記二重構造蓋体における投入口を持ち開口用蓋部材を支える蓋部材の代わりに、前記支持枠体の前方枠材上辺枠と後方枠材上辺枠とを結ぶ縦軸に、開口時に開口用蓋部材を支える帯部材又は、紐部材を用いてなる請求項１５記載の折畳ゴミ置場。
【請求項１７】
前記四角い無蓋の箱型を呈する容器状被覆体若しくは四角い囲い状の被覆体いずれかの前面に扉を設け、更に２つの被覆体いずれかの前面（扉）及び後面に金属、高分子合成樹脂の棒部材若しくはパイプ材でなる補強部材を施してなる請求項１乃至５及び８乃至１５いずれかに記載の折畳ゴミ置き場。
【請求項１８】
前記蓋体を設けない請求項１乃至１６いずれかに記載の折畳ゴミ置き場。
【請求項１９】
前記、２枚の四角い枠材をＸ字型に交差させてなる支持枠体における前方枠材及び後方枠材の左右両側枠の長さを、各々どちらか一方を長く、又他の一方を短くし、前方枠材及び後方枠材の上辺枠を水平に保ち、前方枠材及び後方枠材の下辺枠に左上り、或は右上りの傾斜を付けてなる請求項１乃至５及び８乃至１７いずれかに記載の折畳ゴミ置き場。
【請求項２０】
前記前面開口の四角い無蓋の箱型を呈する容器状被覆体若しくは四角い囲い状の被覆体いずれかを後面開口の被覆体に、又は前面開口及び後面開口双方可能の被覆体にしてなる請求項１乃至５及び８乃至１８いずれかに記載の折畳ゴミ置き場。
【請求項２１】
前記支持枠材における後方枠材の下辺枠を取り除き、後方枠材の左右両側先端にキャスターを設け、底面のない四角い囲い状被覆体を用いてなる請求項１５及び１６記載の折畳ゴミ置き場。
【発明の詳細な説明】
【技術分野】
【０００１】
本発明は、家庭から排出されるゴミを所定場所に一時的に収集して置く為の折畳ゴミ置き場に関する。
【背景技術】
【０００２】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれも構造が複雑であるとともに手を汚さずに極めて簡便に取り扱えるものはなかった。
【発明の開示】
【発明が解決しようとする課題】
【０００６】
そこで本発明は、上記の問題に鑑みてなされたもので、手を汚さずに女子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、折畳ゴミ置き場とすることにある。
【課題を解決するための手段】
【０００７】
本発明は、上記の問題を解決する手段として、２枚の四角い枠材をＸ字型に交差させ、前記Ｘ字型に交差する部分を、各々軸継手で止めて折畳み可能に組み立てた支持枠体内に、頂面を開口するとともに前面の左右側辺ならびに下辺を開放して前面を下から上へ開口できるよう被覆部材にネット材を用いて縫製した四角い無蓋の箱型を呈する容器状被覆体を嵌め込み、前記被覆体の前面と後面の各上辺を前記支持枠体における前方枠材の上辺と後方枠材の上辺に各々固定し、又、伸縮自在の帯部材を、前記支持枠体における前方枠材の上辺枠両端に設けた取付金具に、各々止めて前記支持枠体の前方枠材の上辺枠に沿って配置し、更に、前記被覆体の開口した頂面を前記伸縮自在の帯部材と、これに対峙する前記支持枠体の後方枠材の上辺枠との間に多数の紐部材からなる蓋部材を一定間隔に保ち並べて架設してなる蓋体で覆い、且、前記被覆体における前面の下辺に沿って重り兼用の取手付き開口用棒部材を、又、後面の下辺に沿って重り用の棒部材を施してなり、簡単に投入口及び回収口が得られるようになっており、従来のように重い蓋を開ける必要がなく容易にゴミ入りポリ袋の投入及び回収ができる。
【０００８】
特にネット自体に枠部材がなく、Ｘ字型に交差して組み立てられている枠材は、軸継手の働きで容易に広げたり畳んだりでき、折畳ゴミ置き場には最適であり、しかも従来のものとは異なり、取り扱いが極めて簡便で、ゴミ入りポリ袋の投入及び回収が容易になる。
【０００９】
又、前記四角い無蓋の箱型を呈する容器状被覆体の代わりに底面のない四角い囲い状にすることもできる。
【００１０】
又、前記被覆部材にネット材を用いて縫製した四角い無蓋の箱型を呈する容器状被覆体若しくは底面のない四角い囲い状被覆体の素材にネット材の代わりに、左右両側面をジャバラ状に形状記憶加工した撥水性布地材を被覆部材に用いることもできる。
【００１１】
又、前辺に伸縮自在の帯部材を、これに対峙する後辺に棒部材を配し、前記前辺の伸縮自在の帯部材と後辺棒部材との間に多数の紐部材からなる蓋部材を一定間隔に保ち並べて架設してなる蓋体を作り、又、前記支持枠体における前方枠材の上辺枠に止め具を、更に後方枠材の上辺枠に止め金を設け、前記蓋体、即ち前記帯部材と棒部材を容易に取り外しができるように止めることもできる。
【００１２】
又、前記２枚の四角い枠材をＸ字型に交差する軸継手にバネ部材を施して前記２枚の枠材を互いに拡開する方向へ付勢し、且、前記支持枠体における後方枠材の上辺枠に取手付止め具を設けることができる。
【００１３】
又、３枚の四角い枠材を用い、１枚を後面、他の２枚を対向する左右両側面に配置し、前記後面と左右両側面とを各々パイプ蝶番で継いだ支持枠体内に、頂面を開口するとともに前面の左右並びに下辺を開放して前面を下から上へ開口可能にネット材を用いて縫製した四角い無蓋の箱型を呈する容器状被覆体若しくは四角い囲い状の被覆体を嵌め込み、前記２つの被覆体のいずれかを前記支持枠体の各枠材に固定し、又、伸縮自在の帯部材を、前記左右側面に位置する支持枠体の両上辺の前方枠材の両端に設けた取付金具に各々止めて、支持枠体の上辺の前方に配置し、更に、前記蓋体の開口した頂面を前記伸縮自在の帯部材と、これに対峙する前記後面の支持枠体の上辺枠材との間に多数の紐部材からなる蓋部材を一定間隔に保ち並べて架設してなる蓋体で覆い、且、前記被覆体における前面の下辺に沿って取手付前面開口用棒部材を施すことができる。
【００１４】
又、前記四角い無蓋の箱型を呈する容器状被覆体若しくは四角い囲い状の被覆体のいずれかにおける前面の両側に開口用のバネ内蔵継手付枠材を施すことができる。
【００１５】
又、前記伸縮自在の帯部材に非固定型取手を施すことができる。
【００１６】
又、前記伸縮自在の帯部材にフック付非固定型取手を施すことができる。
【００１７】
又、前記伸縮自在の帯部材に非固定型取手又はフック付非固定型取手を複数設けることができる。
【００１８】
又、前記伸縮自在の帯部材にコイルバネを用いることができる。
【００１９】
又、前記の四角い枠材の後方左右両端下部に固定金具を有することもできる。
【００２０】
又、前記支持枠体において、上部で対峙する前方枠材と後方枠材との間に、縦に複数のレール用ロープを渡し、各々先端を前方及び後方の枠材に止め、前記ロープとロープの間に蓋部材として撥水性布地材又はネット材を張り、前記蓋部材の前方へ、前方枠材に平行するように取手付蓋体開口用棒部材を取付け、更にレール用ロープと蓋部材とを多数の二重リングで結んでなる蓋体を用いることができる。
【００２１】
又、前記支持枠体における開閉部分の支持枠材下辺にコロを施すことができる。
【００２２】
又、前記四角い無蓋の箱型を呈する容器状被覆体若しくは四角い囲い状の被覆体いずれかの前面下辺に沿って取り付けた重り兼用の取手付き開口用棒部材及び後面下辺に沿って取り付けた重り用の棒部材の代わりに、前記支持枠体の前後左右４本の枠材下部に重り用リングを通し、これら支持枠体の枠材に対峙する被覆体の下端四隅に、各々前記重り用リングを結んで固定し、又、蓋体は投入口を持ち開口時に開口用蓋部材を支える蓋部材と開口用蓋部材でなる二重構造とし、前記投入口を持ち開口時に開口蓋部材を支える蓋部材の上面に開口用取手付棒部材を取り付け、更に被覆体の開口前面にはファスナー若しくは面ファスナーを用いることができる。
【００２３】
又、前記二重構造蓋体における投入口を持ち開口用蓋部材を支える蓋部材の代わりに、前記支持枠体の前方枠材上辺枠と後方枠材上辺枠とを結ぶ縦軸に、開口時に開口用蓋部材を支える帯部材又は、紐部材を用いることができる。
【００２４】
又、前記前記四角い無蓋の箱型を呈する容器状被覆体若しくは四角い囲い状の被覆体のいずれか前面に扉を設け、更に２つの被覆体のいずれか前面（扉）及び後面に金属、高分子合成樹脂の棒部材若しくはパイプ枠でなる補強部材を施すこともできる。
【００２５】
又、前記蓋体を設けない折畳ゴミ置き場とすることができる。
【００２６】
又、前記２枚の四角い枠材をＸ字型に交差させてなる支持枠体における前方枠材及び後方枠材の左右両側枠の長さを、各々どちらか一方を長く、又他の一方を短くし、前方枠材及び後方枠材の上辺枠を水平に保ち、前方枠材及び後方枠材の下辺枠に左上り、或は右上りの傾斜を付けることができる。
【００２７】
又、前記前面開口の前記四角い無蓋の箱型を呈する容器状被覆体若しくは四角い囲い状の被覆体のいずれかを後面開口の被覆体に、又は前面開口及び後面開口双方可能の被覆体にすることができる。
【００２８】
更に、前記支持枠体における後方枠材の下辺枠を取り除き、後方枠材の左右両側先端にキャスターを設け、底面のない四角い囲い状被覆体を用いることもできる。
【発明の効果】
【００２９】
本発明は、以上説明したような形態で実施され、以下に記載されるような効果を奏する。パイプ材でなる２枚の四角い枠部材をＸ字型に交差して組み立て、無蓋で開口前面の四角い箱形又は囲いに縫製したネット材、又は左右両側をジャバラ状に形状記憶加工した撥水性布地でなる被覆体を上から嵌め込んでなり、使い勝手のよい簡便な折畳式ゴミ置き場で、被覆体における開口頂面の蓋体が容易に開口できるネット材，布材又は多数の紐部材と伸縮自在の帯部材との組み合わせ等でなり、帯部材を軽く持ち上げただけで投入口が開き、又、被覆体の開口前面に付設した開口用棒部材を上に持ち上げるとネット材、又は左右両側をジャバラ状に記憶加工した撥水性布地でなる被覆体がめくり上がり、回収口が確保されるなど、極めて簡便な機能を有し、特に、帯部材に非固定型取手を用いたものは投入口が大きく開き、又、固定用金具を設けたものは地面に固定し、強風で飛ばされたり不用意に移動することがない。更に、未使用時にはコンパクトに折畳まり、歩行の障害や街の美観を損なうことがなく、そして動物によるゴミ公害を防止し、悪臭や衛生問題なども一挙に解決することができる。
【発明を実施するための最良の形態】
【００３０】
以下、本発明の折畳ゴミ置き場の実施の形態につき添付図面を参照しながら詳細に説明する。
【００３１】
図１，２，３，４，５，６，７，８及び９は本発明における折畳ゴミ置き場について第１の実施の形態を示すものであり、パイプ材からなる２枚の四角い枠材１ａ，１ｂをＸ字型に交差させ、前記Ｘ字型に交差する部分を、各々軸継手２，２で止めて折畳み可能に組み立てた支持枠体１を設け、この支持枠体１内に、頂面３を開口するとともに前面４の左右両辺（上部１／３程度を除く下部）と下辺を縫い合わせず開放して開口前面４を下方側から上方へ開放可能になるように、被覆部材（ネット材）５ａを用いて縫製した四角い無蓋の箱型を呈する容器状被覆体５をつくり上から嵌め込み、前記被覆体５の前面上辺５ｂと後面上辺６を、各々前記支持枠体１における前方枠材１ａの上辺枠７（手前上辺枠）と後方枠材１ｂの上辺枠８（後方上辺枠）に紐を用いて固定し、又、横長の丸織ゴム（直径０.６ｃｍ〜０.８ｃｍ程度の丸打ちをしたゴム紐）からなる伸縮自在の帯部材９を、前記支持枠体１における前方枠材１ａの上辺枠７（手前上辺枠）左右両端に接続係止金具１０ａを用いてなる帯部材取付金具１０，１０に取り付けて各々止め、前記前方枠材１ａの上辺枠７（手前上辺枠）に沿って配置し、更に、前記四角い無蓋の箱型を呈する容器状被覆体５の開口した頂面３を伸縮自在の帯部材９と、これに対峙する前記後方枠材１ｂの上辺枠８（後方上辺枠）との間に多数の紐材からなる蓋部材１１ａを一定間隔に保ち並べて架設してなる蓋体１１で覆っている。
【００３２】
前記被覆体５を広げたり畳んだりする前記支持枠体１にスムーズに連動させるため、前記被覆体５の前面下辺５ｃに沿って、止め金を有する取手１４ａ付き重り兼用の開口用棒部材１４を、又、後面下辺６ａに沿って重り用の棒部材１５を施し、更に、閉じた回収口１２を押える（固定する）ため、前記被覆体５の前面左右両側に複数の引掛付棒部材１６，１６を設けている。この引掛付棒部材１６，１６は、前記支持枠体１における前方枠材１ａの上辺枠７（手前上辺枠）左右両端に揺動する機能を持たせた継手１６ｂ、１６ｂを施し（図５参照）、支持枠体１を開閉しても引掛付棒部材１６，１６が常に真下の方を向くようにする（図１、図２、図３参照）。
【００３３】
そして、この第１の実施例の形態の折畳ゴミ置き場は、未使用時には支持枠体１を畳んで置き、使用時には支持枠体１の前方枠材１ａ上辺枠７（手前上辺枠）と後方枠材１ｂ上辺枠８（後方上辺枠）とを前後に広げると支持枠体１が軸継手２，２を基点に開き、畳んである前記被覆体５が四角い箱型に広がり折畳ゴミ置き場が形成される。ゴミを投入するには、前記伸縮自在の帯部材９を手で握り軽く持ち上げると、紐部材の蓋部材１１ａでなる蓋体１１が図１に示す破線の方向へ、即ち上方又は後方斜め上方へ開き、投入口１３が得られ（図１参照）、手を離すと伸縮自在の帯部材９が元に戻り投入口１３が閉じる（図２参照）。
【００３４】
次に、伸縮自在の帯部材９数箇所（２〜４箇所）にフック９ｂ…９ｂを取り付け、折畳ゴミ置き場が形成された状態で、このフック９ｂ…９ｂを後方枠材１ｂの上辺枠８（後方上辺枠）に引っ掛けると、手を離しても投入口１３を開いたままの状態に維持できる（図４参照）。これだとゴミ入りポリ袋を両手で投入したり、複数のゴミ入りポリ袋を両手で連続して投入するのに便利である。  又、支持枠体１の後方枠材１ｂにおける下辺枠８ａ（手前下辺枠）の止め金１７…１７（２〜４箇所）に止めてある前記重り兼用の開口用棒部材１４の止め金付取手１４ａを握って持ち上げ、この重り兼用の開口用棒部材１４を前方枠材１ａ上辺枠７（手前上辺枠）へ止めると前記被覆体５が２／３程度捲くり上がり、回収口１２が確保される（図２参照）。
【００３５】
更に、前記重り兼用の開口用棒部材１４を、支持枠体１の前方枠材１ａ上辺枠７（手前上辺枠）の止め金１７ｂ…１７ｂから外し前記被覆体５の網目を引掛付棒部材１６，１６の引掛１６ａ…１６ａに引っ掛るようにしながら下に降し、元の止め金１７…１７に戻す（止める）と、下に降りた開口前面４部分の被覆体５の網目が左右両端の引掛付棒部材１６，１６の複数の引掛１６ａ…１６ａに引っ掛かり、即ち、戻す（止める）、引っ掛ける２つの作用で前記被覆体５は、左右の引掛付棒部材１６，１６に固定し、回収口１２が閉じるようになっている。引掛１６ａは、どのようなタイプのものを使用しても構わないが、引っ掛かった前記被覆体５、即ちネット材が外れにくいボタンの形状をしたもの（図５参照）が最も望ましい。
【００３６】
従って、前記開口前面４部分の前記被覆体５の左右両側下２／３程度と底辺部分は縫い合わせないようにする。更に、止め金付取手１４ａを有する重り兼用の開口用棒部材１４及び重り用棒部材１５は、前記支持枠体１を広げたとき文字通り重りの役目を果たし、スムーズに前記被覆体５が前後に開き、折畳ゴミ置き場を形成させるのに役立つ。
【００３７】
尚、支持枠体１の折り畳みは、支持枠体１の前方枠材１ａの上辺枠７（手前上辺枠）と後方枠材１ｂの上辺枠８（後方上辺枠）とを両手で握り折り畳むようになっており（図３参照）、又、伸縮自在の帯部材９は軽く手で持ち上げられる程度の軽い伸縮性のものを使用する。
【００３８】
前記被覆体５に用いる被覆部材５ａの素材には、特にこだわらないが、例えばナイロン系の高分子合成繊維が適しており、網目の大きさは縦・横２.５ｃｍ程度のものがよい。一方、前記蓋部材１１ａに使用する紐部材についても、特に材料にはこだわらないが、例えば耐久性があり伸縮性に富むアクリル撚糸（太さ０.４ｃｍ〜０.６ｃｍ程度）がよく、これをコイル状に巻き形状記憶加工したものを使用するのが望ましい。尚、前記蓋体１１には、アクリル撚糸等伸縮性のある合成繊維撚糸のネット材を用いてもよい。
【００３９】
又、全体がほぼ箱型に形成される本発明の折畳ゴミ置き場の大きさは、例えばＳサイズＨ９０ｃｍ〜１００ｃｍ×Ｗ１２０ｃｍ〜１４０ｃｍ×Ｄ６０ｃｍ〜６５ｃｍ、ＭサイズＨ９０ｃｍ〜１００ｃｍ×Ｗ１４０ｃｍ〜１６０ｃｍ×Ｄ６５ｃｍ〜７０ｃｍ、ＬサイズＨ９０ｃｍ〜１００ｃｍ×Ｗ１６０ｃｍ〜１８０ｃｍ×Ｄ７０ｃｍ〜７５ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２.０ｃｍ〜２.８ｃｍ程度（肉厚１ｍｍ〜３ｍｍ程度）のものを使用する。
【００４０】
更に、伸縮自在の帯部材９には、例えば平織ゴム（幅２ｃｍ〜３ｃｍ程度の平打ちしたゴム紐）を使用することもできるが、前記丸織ゴム及び平織ゴム等の伸縮自在の帯部材９は、直射日光が照射する屋外に放置すると劣化が早く、耐久年数が６ヶ月程度なので、６ヶ月程度ごとに劣化した丸織ゴム及び平織ゴム等の伸縮自在の帯部材９だけを交換することにより、極めて経済的に効率よい運用を図ることができる。
【００４１】
図６及び７は伸縮自在の帯部材９に丸織ゴム（図６参照）を、又、伸縮自在の帯部材９に平織ゴム（図７参照）を用いた場合の交換手段の一例を挙げたものであり、予め蓋体１１を構成する紐部材である蓋部材１１ａに輪（ワッカ）１８部分を形成しておき、この輪（ワッカ）１８部分に伸縮自在の帯部材９を順次挿通させて、その先端を開口式の帯部材取付金具１０に取り付ける構成になっている。又、前記帯部材９を取り外すには、帯部材取付金具１０を開放して伸縮自在の帯部材９の噛着を解除し、前記帯部材９から蓋部材１１ａ（紐材）の輪（ワッカ）１８…１８部分を順次抜き取ればよい。尚、帯部材取付金具１０は接続係止金具１０ａで支持枠体１を形成する前方枠材１ａの上辺枠７（手前上辺枠）左右両端に取り付ける。
【００４２】
更に、図８及び９に示すように、丸織ゴム（図８参照）及び平織ゴム（図９参照）の伸縮自在の帯部材９の先端及び蓋部材１１ａ（紐材）の輪（ワッカ）１８…１８部分は互いの挿通を容易にするため比較的薄い糊材で固めておくとよく、特に伸縮自在の帯部材９の先端については糊の持続性が短い澱粉系の糊材が好適であり、又、高分子の合成樹脂製紐である蓋部材１１ａの輪（ワッカ）１８…１８部分については、糊の持続性が長い、例えばアクリルなど蓋部材１１ａの素材に合致した合成樹脂を溶剤に溶かした糊材を用い、前記糊材を噴霧付着させて固めるのが好ましい。
【００４３】
尚、前記四角い枠材１ａ，１ｂにパイプ材を用いたが、例えば端面Ｌ字型のアングル材を用いてもよく、又パイプ材及びアングル材にはアルミニウム、ステンレス、スチール、チタン等をはじめその他の金属材を使用することができる。
【００４４】
図１０は、本発明における第２の実施の形態を示すものであり、前記第１の実施の形態における四角い無蓋の箱型を呈する容器状被覆体５の代わりに、底面１９ａのない四角い囲い状被覆体１９に縫製したものを用いる。但し、開口前面４を下方側から上方へ開放可能にするため前記被覆体１９の前面左右両側辺（上部１／３程度を除く）部分は縫い合わせないようにこする。これは、ゴミ入りポリ袋を屋外へ一時的に保管する為のものだけに、別に底面１９ａがなくとも不都合ではなく、むしろ折畳ゴミ置き場が清掃し易く、衛生的であり、又、製造コストも軽減されるメリットさえある。尚、被覆部材５ａを１０ｃｍ程度長くし、折畳ゴミ置き場を広げたさい被覆部材５ａの裾１９ｂが外側へ約１０ｃｍ地面に這うように広がり、カラスや野良ネコが下から潜り込まないようにしてある。
【００４５】
図１１，１２及び１３は、本発明における第３の実施例の形態を示すものであり、前記被覆部材５ａにネット材を用いて縫製した四角い無蓋の箱型を呈する容器状被覆体５、若しくは底面のない四角い囲い状被覆体１９の素材にネット材の代わりに、左右両側面をジャバラ状に形状記憶加工した撥水性布地材を被覆部材５ａに用いてなる（図１１参照）。ネット材を使用した第１の実施例の形態と異なる点は、回収口１２を閉じるのに引掛付棒部材１６，１６を必要とせず、代わりに面ファスナー２０を用いる。面ファスナーのオス２０ａ…２０ａおよびメス２０ｂ…２０ｂは、図１２に示すように前記被覆体５の開口前面４左右両側の開口部切り込み２１を入れ、補強用帯状テープ２２，２２（厚さ約０.２ｃｍ、幅約３ｃｍ、長さ約５１ｃｍのポリエステル材）を各々取り付ける。回収口１２の開口は第１の実施例の形態と同じように前記重り兼用の開口用棒部材１４の止め金付取手１４ａを握って持ち上げると、同時に止めてある（くっ付き合っている）オス・メスの面ファスナー２０ａ，２０ｂが外がれ、持ち上げた前記重り兼用の開口用棒部材１４の止め金付取手１４ａの止め金部分を前方枠材１ａの上辺枠７（手前上辺枠）へ止めると、前記被覆体５，１９の前面が約４８ｃｍ捲り上がり、回収口１２が確保される。被覆部材５ａに厚手の撥水性布地材を使用する場合は、補強用帯状テープ２２を取り付ける必要はない。尚、面ファスナー２０の代わりに、ファスナー２０ｃを用いることができる。
【００４６】
更に、止め金付取手１４ａを握り前記重り兼用の開口用棒部材１４を支持枠体１の前方枠材１ａ上辺枠７（手前上辺枠）から外し前記被覆体５，１９の開口前面４を下に降すと回収口１２が閉まり、次に支持枠体１における前方枠材１ａの上辺枠７（手前上辺枠）と後方枠材１ｂの上辺枠８（後方上辺枠）とを両手で握って折り畳み、図１３に示すように内側に隠れている左右両側の帯状テープ２２，２２部分を外面から手で押すとオス・メスの面ファスナー２０ａ，２０ｂがくっ付き、回収口１２が固定される（完全に閉じる）。
【００４７】
左右両側面をジャバラ状に形状記憶加工した撥水性布地材の特徴は、先ずカラスの被害を完全に防止できる。これは「目で餌を見分ける」カラスの習性を上手く利用した点にある。第１の実施例の形態におけるネット材使用の折畳ゴミ置き場もカラスに有効ではあるが、ネットだとゴミ入りポリ袋が外側から見えるので、カラスが寄って来て餌を突っ突こうとするが、布地だとゴミ置き場内のゴミ入りポリ袋が外から目視できず、カラスがゴミ置き場の近くに寄って来ない。又頂面３（上から）即ち多数の紐材からなる蓋部材１１ａを一定間隔に保ち並べて架設してなる蓋体１１は上からゴミ入りポリ袋は丸見えだが、これもカラスは地上に降りて足を踏ん張りゴミ入りポリ袋を嘴で突っ突かないと、丈夫なポリ袋を破けない学習を積んでおり、この第３の実施例の形態における折畳ゴミ置き場だと初めからカラスは諦め寄って来ない。
【００４８】
次に左右両側をジャバラ状に形状記憶加工した撥水性布地材を用いて縫製した前記被覆体５，１９だと、Ｘ字型に交差する支持枠体１における前方枠材１ａの上辺枠７（手前上辺枠）及び後方枠材１ｂの上辺枠８（後方上辺枠）を折り畳むさい、ネット材を用いたときより１／３程度被覆体５，１９をコンパクトに折り畳むことができる（図１３参照）。布地の素材は丈夫なポリエステルなど高分子系合成繊維が最適で、撥水加工により汚れも付き難く、雨で汚れも流され易く衛生的である。更に撥水性布地に粉末状酸化チタンの添加加工を施すと光触培の働きで、汚れが分解して消え、より衛生的である。又ネット材と違い布地に好みの絵模様をプリントでき、例えばさわやかな絵模様に「街の美化に協力します。○○医院」などの字句を入れる（プリントする）と広告媒体にもなり、場合によってはスポンサーにこの折り畳みゴミ置き場を設置してもらえることもあり得る。
【００４９】
図１４及び１５は本発明における第４の実施例の形態を示すものであり、この形態の蓋体１１は前辺に伸縮自在の帯部材９と、それに対峙する後辺に蓋部材取付用棒部材２３を配置し、前記前辺に配置した伸縮自在の帯部材９と、後辺に配置した蓋部材取付用棒部材２３との間に一定間隔で多数の紐部材からなる蓋部材１１ａを架設してなる蓋体１１を作り、この蓋体１１の伸縮自在の帯部材９を前記支持枠体１における前方枠材１ａの上辺枠７（手前上辺枠）に設けてある接続係止金具１０ａへ止め、又、これに対峙する蓋部材取付用棒部材２３を前記支持枠体１における後方枠材１ｂの上辺枠８（後方上辺枠）の止め金１７ａに、上から嵌め込む（取り付ける）ようになっている（図１４参照）。
【００５０】
伸縮自在の帯部材９を接続係止金具１０ａへ取り付ける具体的な方法は、図１５に示すように、前記伸縮自在の帯部材９の左右両端に取り付けてある係止フック１０ｂを引っ掛けて取り付けるようにしてある。従って蓋体１１交換のときは蓋体１１をそっくりそのまま簡単に取り外しができる。
【００５１】
これだと取り外しが面倒な第１の実施例の形態で示した蓋体１１の開口頂面３を、前記支持枠体１における前方枠材１ａの上辺枠７（手前上辺枠）に帯部材取付金具１０で止めた伸縮自在の帯部材９と、これに対峙する前記支持枠体１における後方枠材１ｂの上辺枠８（後方上辺枠）との間に一定間隔を保ち並べた多数の紐部材からなる蓋部材１１ａを架設してなる蓋体１１と異なり、劣化した丸織ゴム（平織ゴム）を新しい丸織ゴム（平織ゴム）と交換する煩わしさはなく、蓋体１１ごとそっくり取り外せばよく、極めて簡単に交換作業ができる。
【００５２】
但し、支持枠体１における後方枠材１ｂの上辺枠８（後方上辺枠）に嵌め込む蓋部材取付用棒部材２３の素材は、なるべくアルミニウムなど金属材にせず、取り外した蓋体１１ごと通常のゴミとして捨てられるよう、木材、竹材又はプラスチックのパイプ材などの素材を選ぶとよい。
【００５３】
図１６，１７，１８及び１９は本発明における第５の実施の形態を示すものであり、全体の構成は前記第１の実施の形態とほぼ同様であるが、支持枠体１を形成するパイプ材からなる２枚の四角い枠材１ａ，１ｂがＸ字型に交差する軸継手２，２部分にバネ部材２４，２４を施し（図１８，図１９参照）、且、支持枠体１における後方枠材１ｂの上辺枠８（後方上辺枠）の中央部に取手付止め具２５を設けてある。そこで前記取手付止め具２５を手で解除すると、バネの働きで自動的に支持枠体１における前方枠材１ａの上辺枠７（手前上辺枠）と後方枠材１ｂの上辺枠８（後方上辺枠）とが互いに開き、折畳ゴミ置き場が形成される（図１６参照）。尚、図１８，図１９に示す軸継手２，２部分の枠材１ａ及び枠材１ｂは潰してあるが、枠材１ａ及び枠材１ｂを潰さずにそのまま（パイプのまま）軸継手２，２で継いでもよい。更に、図１８，図１９では軸継手２，２の芯棒をカシメて止めているが、代わりにボルトを通しナットで止めてもよく、軸継手２及びバネ部材２４は錆を防ぐためステンレス製にするのが望ましい。
【００５４】
尚、バネ部材２４，２４の力が強すぎると支持枠体１における前方枠材１ａの上辺枠７（手前上辺枠）と後方枠材１ｂの上辺枠８（後方上辺枠）とを広げる際に危険を伴うので、広げるのに程よい力のバネ部材２４，２４を用いる。支持枠体１を折り畳む場合は支持枠体１の後方枠材１ｂの上辺枠８（後方上辺枠）を左（右）手で支え、前方枠材１ａ上辺枠７（手前上辺枠）を右（左）手で後方へ押して折り畳み、支持枠体１における後方枠材１ｂ上辺枠８（後方上辺枠）に取り付けてある取手付止め具２５を前方枠材１ａの上辺枠７（手前上辺枠）中央部に引っ掛けて止める（図１７参照）。
【００５５】
図２０，２１，２２及び２３は本発明における第６の実施の形態を示すものであり、パイプ枠材でなる３枚の四角い枠材を用い、１枚を後面用枠材１ｃ、他の２枚を対向する左右両側面用枠材１ｄ，１ｄとし、前記左右両側面用枠材１ｄ，１ｄの前方縦枠中央部に握り２６，２６を取り付け、前記後面用枠材１ｃと左右両側面用枠材 １ｄ，１ｄとを、各々パイプ蝶番２７…２７又はバネ付パイプ蝶番２７ａ…２７ａで継いだ支持枠体１でなる折畳ゴミ置き場とし、前記図１，２，３及び４に示した第１の実施の形態同様、開口頂面３とし前面４の左右両辺と下辺をも開放して開口前面４を下方側から上へ開放可能になるよう縫製した四角い無蓋の箱型を呈する容器状被覆体５若しくは四角い囲い状被覆体１９を上から嵌め込み、前記被覆体５，１９を紐で後面用枠材１ｃ及び左右両側面用枠材１ｄ，１ｄに結んで止め、又、伸縮自在の帯部材９の左右両端を、対向する左右両側面用枠材１ｄ，１ｄの上辺前端に帯部材取付金具１０，１０で止め（図２０，２１参照）、更に、開口頂面３を多数の紐部材でなる蓋部材１１ａを、前記帯部材９と長手方向に向き合う後面用枠材１ｃ上辺枠２８とを結ぶ縦方向に一定間隔を保ち並べて架設した蓋体１１で覆い、且、開口前面４にするため前記左右側辺（上部１／３程度を除く下部）と底辺を縫い合わせず、前記被覆体５，１９下辺に取手付前面開口用棒部材２９を施し、更に、左右両側面用枠材１ｄ，１ｄの前方縦枠に複数の引掛１６ａ…１６ａを取り付けてなる（図２０参照）。
【００５６】
図２０，２１，２２及び２３の折畳ゴミ置き場の開閉操作は、握り２６，２６を握り、畳んである左右両側面用枠材１ｄ，１ｄを観音開きに開くと、四角いネット又は布製の被覆体５の折畳ゴミ置き場が形成され、次に前記伸縮自在の帯部材９を手で握り軽く持ち上げると上へ伸び、前記図１，２，３及び４に示した第１の実施の形態と同様に、開口頂面３を覆う紐部材の蓋部材１１ａでなる蓋体１１が上方又は後方斜め上方へ開き、投入口１３が得られる（図２０参照）。又、止め金１７…１７に止めてある前記取手付前面開口用棒部材２９の取手を握って持ち上げ、左右両側面用枠材１ｄ，１ｄの上部前方枠左右両端の止め金１７ｂ，１７ｂに止めると前記被覆体５，１９がめくり上がり、回収口１２が確保される（図２１参照）。
【００５７】
更に、開口用棒部材１４を止め金１７ｂ，１７ｂから外し前記被覆体５，１９の網目を引掛１６ａ，１６ａに引っ掛るようにしながら下に降し、元の止め金１７…１７に戻す（止める）と、下に降りた前記被覆体５，１９の網目が複数の引掛１６ａ，１６ａに引っ掛かり、即ち戻す（止める）と、引っ掛けるとの２つの作用で前記被覆体５，１９は、左右両側面用枠１ｄ，１ｄの前方縦枠に固定し、回収口１２が閉鎖される（図２０参照）。
【００５８】
更にまた、折畳ゴミ置き場の折り畳みは、取手を握って取手付開口用棒部材２９を持ち上げ、後面用枠材上辺枠２８まで持っていき止め金１７ｃ，１７ｃに止め（図２２参照）、続いて観音開きの左右両側面用枠材１ｄ，１ｄを閉じ、打掛３０で止めると折り畳みが完了する（図２３参照）。
【００５９】
尚、バネ付パイプ蝶番２７ａ，２７ａを用いた折畳ゴミ置き場は、打掛３０を開けると自動的に左右両側面用枠材１ｄ，１ｄが開くので、ただのパイプ蝶番２７，２７を用いたものより利便性がある。バネ付パイプ蝶番２７ａ，２７ａは９０°以上開かないように調節しておく。又、観音開きをした左右両側面用枠材１ｄ，１ｄが、伸縮自在の帯部材９を持ち上げた際、内側に引っ張られるのを防ぐため、取手付開口用棒部材２９の左右両端下部に支え用切込３１部分を設ける。更に、前記開口前面４を構成する前記被覆体５，１９の左右両側辺（上部１／３程度を除く下部）と底辺部分は縫い合わせないようにし、伸縮自在の帯部材９は軽く手で持ち上げられる程度の軽い伸縮性のものを使用する（図２１参照）。
【００６０】
図２４，２５，２６及び２７は、本発明における第７の実施の形態を示すものであり、支持枠体１は前記図１，２，３及び４に示した第１の実施の形態と同様であるが、四角い無蓋の箱型を呈する容器状被覆体５若しくは四角い囲い状被覆体１９における開口前面４の開口操作に開口用のバネ内蔵継手付枠材３２，３２を用いた点が異なり、そこで、ネット材の前記被覆体５，１９の左右両側沿いに縦にバネ止め金３３，３３を有する止め棒３４，３４を施す。即ち、開口用バネ内蔵継手付枠材３２，３２の取付は、バネ内蔵継手３２ａ，３２ａを用い、前方枠材１ａの上辺枠７（手前上辺枠）の左右両端に取り付け、常時、バネ内蔵継手３２ａ，３２ａ部分を基点に各々下にさげ、止め棒３４，３４のバネ止め金３３，３３に止めておく。又、前記被覆体５，１９の開口前面４の下辺に、上下へ引っ掛けることができる摘み付ダブル係止フック３５を、更に、後方枠材１ｂの下辺枠８ａ（手前下辺枠）に前記摘み付ダブル係止フック３５を止める係止環３５ａを設ける（図２４参照）。
【００６１】
この開口前面４の開口操作は、左右両側の開口用バネ内蔵継手付枠材３２，３２を止め棒３４，３４のバネ止め金３３，３３から取り外すことで、バネ内蔵継手３２ａ，３２ａの働きでバネ内蔵継手３２ａ，３２ａ部分を基点に各々内側へ９０°回転しながら上にあがり、支持枠体１における前方枠材１ａの上辺枠７（手前上辺枠）に平行（横に）した位置に移動する（図２５参照）。
【００６２】
次に、摘み付ダブル係止フック３５を摘み付ダブル係止環３５ａから外して上へあげ、支持枠体１における前方枠材１ａの上辺枠７（手前上辺枠）に引っ掛けることで開口前面４の前記被覆体５，１９が捲くり上がり、回収口１２が確保される（図２５参照）。そして、摘み付ダブル係止フック３５を支持枠体１前方枠材１ａの上辺枠７（手前上辺枠）から外し、バネ内蔵継手付枠材３２，３２を、各々元の止め棒３４，３４のバネ止め金３３，３３に戻す（止める）と回収口１２が閉じ、そして摘み付ダブル係止フック３５を、摘み付ダブル係止環３５ａに引っ掛けると回収口１２が閉鎖される（図２４参照）。
【００６３】
従って、バネの力はバネ内蔵継手３２ａ，３２ａのバネより、バネ止め金３３，３３に使用するバネの方を若干強くする。尚、前記バネ内蔵継手付枠材３２，３２は９０°以上の角度に上がらないように調整しておき、前記ネット又は布製の前記被覆体５，１９における開口前面４の左右両側辺と下辺部は縫い合わせない。
【００６４】
次に、図２６及び２７の支持枠体１は図２０，２１，２２及び２３に示した第６の実施の形態と同じであり、前記図２４及び２５の折畳ゴミ置き場と異なる点は、支持枠体１の構造が違うため止め棒３４，３４を使用せず直接左右両側面用枠材１ｄ，１ｄの前方縦枠に各々バネ止め金３３，３３を施し、ここに開口用バネ内蔵継手付枠材３２，３２を止めておき、又、開口前面４の下辺中央部に摘み付係止フック３７を設けている。そして、図２０と同じように伸縮自在の帯部材９は、この伸縮自在の帯部材９の左右両側を、対向する左右両側面用枠材１ｄ，１ｄの上辺前端を結ぶ態様に帯部材取付金具１０，１０で止め、更に折畳ゴミ置き場の開口は図２２及び図２３と同様に、握り２６を用いて行なう。
【００６５】
前記開口用バネ内蔵継手付枠材３２，３２はバネ内蔵継手３２ａ，３２ａ部分で、左右側面用枠材１ｄ，１ｄの前方縦枠上部３６ａ，３６ａに取り付けてあり、この開口用バネ内蔵継手付枠材３２，３２を、バネ内蔵継手３２ａ，３２ａ部分を基点に各々下にさげて前記左右側面用枠材１ｄ，１ｄの前方縦枠３６，３６に平行（縦に）させ（図２６参照）、バネ止め金３３，３３に止めておく。
【００６６】
又、図２６及び２７は開口前面４の開口操作方法を示したもので、バネ止め金３３，３３に止めてある開口用バネ内蔵継手付枠材３２，３２を取り外すと、バネ内蔵継手３２ａ，３２ａの働きでバネ内蔵継手３２ａ，３２ａ部分を基点に各々内側へ９０°回転しながら上にあがり、四角い無蓋の箱型を呈する容器状被覆体５又は四角い囲い状被覆体１９の前面上辺５ｂに平行（横に）した位置に移動する。
【００６７】
そして、下に垂れ下がっている摘み付係止フック３７を上にあげ前記被覆体５，１９の前面上辺５ｂ中央に設けてある係止環３７ａに引っ掛けることで前記被覆体５，１９がめくり上がり回収口１２が確保され（図２７参照）、更に、摘み付係止フック３７を外し、開口用バネ内蔵継手付枠材３２，３２を各々元の左右両側面用枠材１ｄ，１ｄの前方縦枠のバネ止め金３３，３３に戻す（止める）と回収口１２が閉鎖される。前記図２４及び図２５同様バネの力は、バネ内蔵継手３２ａ，３２ａのバネより、バネ止め金３３，３３に使用するバネの方を若干強くし、又、前記バネ内蔵継手付枠材３２，３２は９０°以上の角度に上がらないように調整しておき、前記開口前面４を構成する前記被覆体５，１９の左右両側辺と底辺部は縫い合わせないようにする。
【００６８】
図２８及び２９は、本発明における第８の実施の形態を示すものであり、前記第１及び第６の実施の形態における伸縮自在の帯部材９に、丸織ゴム用非固定型取手３８（図２８参照）及び平織ゴム用非固定型取手３８ａ（図２９参照）を取り付け、伸縮自在の帯部材９を持ち上げ易くし、紐部材の蓋部材１１ａでなる蓋体１１の開口、即ち投入口１３の開口を容易にしたもので、この非固定型取手３８は、伸縮自在の帯部材９の端面と同じ形状のパイプを用いており、従って、丸織ゴムの伸縮自在の帯部材９には、平常の端面が丸いパイプ材を（図２８参照）、又、平織ゴムからなる伸縮自在の帯部材９に端面が扁平状矩形のパイプ材を使用する（図２９参照）。
【００６９】
非固定型取手３８，３８ａの取り付けは極めて簡単で、取手のパイプ材に伸縮自在の帯部材９を挿通するだけでよく、然も固定型取手、即ち通常の取手と異なり伸縮自在の帯部材９は取手の取り付け箇所に関係なく均一に伸縮する利点がある。そして、この非固定型取手３８を使用した場合は、パイプで隠れた部分の伸縮自在の帯部材９に紐部材を取り付けられないので、その部分については代わりにパイプに所定の間隔で蓋部材止め部分１１ｂを配置し、この蓋部材止め部分１１ｂに直接蓋部材１１ａを取り付ける。尚、伸縮自在の帯部材９に通常の固定型取手を取り付けても構わない。
【００７０】
図３０及び３１は本発明における第９の実施の形態を示すものであり、前記第１及び第６の実施の形態における蓋体１１の開口頂面３の帯部材９に、丸織ゴム用フック付非固定型取手３９（図３０参照）及び平織ゴム用フック付非固定型取手３９ａ（図３１参照）を使用し、開口頂面３の蓋体１１を開口するさいフック付非固定型取手３９，３９ａを持ち上げ、そのまま後方へ移動させて、フック部分を帯部材９の長手方向に向き合う支持枠体１の後方枠材１ｂ上辺枠８（後方上辺枠）に引っ掛けると、伸縮自在の帯部材９及び蓋体１１が後方に引っ張られ、図３０に示す破線の方向へ投入口１３が開き、手を離しても閉じないので、第１の実施の形態におけるフック９ｂ…９ｂで伸縮自在の帯部材９を前記後方枠材１ｂの上辺枠８（後方上辺枠）に引っ掛けたのと同様にゴミ入りポリ袋を両手で投入したり、複数のゴミ入りポリ袋を両手で連続して投入するのに便利である。図２８に示した非固定型取手３８及び図２９に示した非固定型取手３８ａ同様に、フック付非固定型取手３９及びフック付非固定型取手３９ａのパイプに所定の間隔で紐材でなる蓋部材止め部分１１ｂを配置し、この蓋部材止め部分１１ｂに直接に蓋部材１１ａを取り付ける。破線は投入口１３の大きさを示している。この第９実施例の形態のフック付非固定型取手３９，３９ａは、先の第１実施例の形態におけるフック９ｂと同様の役割を果すわけである。
【００７１】
図３２及び３３は本発明における第１０の実施の形態を示すものであり、前記第１の実施及び第６の実施の形態で示した丸織ゴム及び平織ゴムでなる伸縮自在の帯部材９に、２個以上の複数の非固定型取手３８（図３２参照）又はフック付非固定型取手３９（図３３参照）を設けたものを示しており、この場合には複数の投入口１３が確保され、その分ゴミ入りポリ袋の投入が容易になる。破線は投入口１３の大きさを示している。尚、第１０の実施の形態の折畳ゴミ置き場への非固定型取手３８，３８ａ及びフック付非固定型取手３９，３９ａの取り付けは第８及び第９の実施の形態と全く同じである。
【００７２】
図３４は本発明における第１１の実施の形態を示すものであり、前記伸縮自在の帯部材９に、直径１.０ｃｍ〜１.５ｃｍ程度のステンレスコイルバネ９ａを用いた例を示しており、この伸縮自在のステンレスコイルバネは、前記各実施の形態に示した丸織ゴム及び平織ゴムからなる伸縮自在の帯部材９よりはるかに耐久性及び伸縮性に優れ、投入口１３の開口が容易である。尚、ステンレスコイルバネだと丸織ゴムや平織ゴムのような劣化の心配はなく、従って伸縮自在の帯部材９を定期的に交換する必要もない。
【００７３】
ステンレスコイルバネの伸縮自在の帯部材９には所定の間隔で蓋部材止め部分１１ｂ，１１ｂを配置した布のチューブ４０で被覆し、紐部材からなる蓋部材１１ａをこの蓋部材止め部分１１ｂ，１１ｂに直接取り付けられるようにする。尚、ステンレスコイルバネでなる伸縮自在の帯部材９には、丸織ゴムの伸縮自在の帯部材９同様に前記図２８に示した丸いパイプ材でなる非固定型取手３８，３８ａ及び前記図３０に示したフック付非固定型取手３９，３９ａを用いるとよい。
【００７４】
図３５及び３６は本発明における第１２の実施の形態をそれぞれ示すものであり、前記第１の実施形態についての図５に示したのと同様に、支持枠体１における前方枠材１ａの下辺枠７ａ（後方下辺枠）左右両端に揺動機能付固定金具４１を、又、前記第６の実施の形態について支持枠体１における後面用枠材１ｃの下辺枠４２左右両端に固定金具４３を各々取り付けたもので、この揺動機能付固定金具４１及び固定金具４３にはアンカー等を用い、アスファルト（コンクリート）の路面に穿設した固定用の穴に差し込み、更に補強のためアンカーの上部に固定用金属板４４（ベース板）を設け、路面にボルトで止めるようにしてある。そして、図３５に示した実施の形態については、折畳ゴミ置き場を開閉するたびに固定金具に対し支持枠体１の角度が変わるので揺動する機能を持たせて取り付ける方法を採用し、又、図３６に示した実施の形態については、固定金具と支持枠体１が常に固定しており、通常の固定金具４３を使用している。これら固定金具のため折畳ゴミ置き場は常時、路上の片隅に固定されており、強風で吹き飛ばされるなど不用意に移動することはない。尚、アンカーの長さは３０ｃｍ程度とするが、これとは別に心棒打込式オネジタイプアンカー（商品名オールアンカー）を用いてもよい。
【００７５】
図３７及び３８は本発明における第１３の実施形態を示すものであり、この形態の蓋体１１は、前記支持枠体１において上部で対峙する前方枠材１ａと後方枠材１ｂとの間に、図３７に示すように縦にレール用ロープ４本４５…４５を渡し、前記ロープ４５…４５の前後の両先端を、予め前方支持枠材１ａ及び後方支持枠材１ｂに４個ずつ取り付けておいたレール用ロープ係止金具４６…４６に通し、輪状４５ａ…４５ａにし、カシメて止め（図３８参照）、前記ロープ４５とロープ４５の間に各々１枚ずつ撥水性布地材又はネット材でなる蓋部材１１ａを張り、前記蓋部材１１ａの後辺を後方枠材１ｂの上辺枠８（後方上辺枠）に取り付け、又、前記蓋部材１１ａの前方へ、前方枠材１ａに平行するように各々取手付蓋体開口用棒部材４７を施し、更にレール用ロープ４５と蓋部材１１ａとを多数の小さな二重リング４８…４８で結び、手で後方に押して開口しゴミ入りポリ袋の投入口１３を確保できる蓋体１１を有する。蓋部材１１ａに撥水性布地材を使用する場合は、左右両端にハトメで多数の孔４９…４９を空け、これらの孔４９…４９とレール用ロープ４５を多数の二重リング４８…４８で結ぶ。使い勝手をよくするため、小型折畳ゴミ置き場（Ｓサイズ）は前記の蓋体１１を１基とし、又、大型折畳ゴミ置き場（Ｌサイズ）の場合は、蓋体１１を３基並列させることもできる。レール用ロープ４５は丈夫で滑りのよいポリエステル等高分子合成繊維系製、又、レール用ロープ係止金具４６及び二重リング４８は錆びにくいステンレス製が適している。尚、ハトメで孔を開けずにカーテン用吊り金具で撥水性布地部材をレール用ロープに直接接続してもよい。尚、蓋部材１１ａにネット材を使用する場合は、二重リング及びカーテン用吊り金具は必要なくネットの網目に直接レール用ロープを通せばよい。
【００７６】
図３９，４０及び４１は本発明における第１４の実施形態を示すものであり、この形態は、前記支持枠体１において、開閉部分の支持枠材、いわゆる後方枠材１ｂの下辺枠８ａ（手前下辺枠）及び左右両側面用枠材１ｄの下辺枠１ｅに各々塩化ビニール等材質の堅い高分子合成樹脂素材のパイプ材でなるコロ５０（直径３ｃｍ、肉厚０.２５ｃｍ〜０.３ｃｍ、長さ１５ｃｍ〜２０ｃｍ程度）を施す。図３９及び図４０に示すように、直径２.２ｃｍ使用の後方枠材１ｂの下辺枠８ａ（手前下辺枠）及び左右両側面用枠材１ｄの下辺枠１ｅをこのコロ５０で覆い、折畳ゴミ置き場を開閉するさい、キャスターの役目を果し、開閉をスムーズに行うようにする。更に開閉のたびに支持枠材がアスファルト（コンクリート）に擦れるので、これによるの支持枠材の摩滅を防ぐのにも役立つ。尚、コロ５０の左右両側には塩化ビニール等の高分子合成樹脂でなるコロストッパー５０ａ…５０ａを設ける。図４１はコロ５０の断面図を示している。
【００７７】
図４２，４３，４４及び４５は本発明における第１５の実施形態を示すものであり、この形態の折畳ゴミ置き場は、図４２及び図４３に示すように、前記四角い無蓋の箱型を呈する容器状被覆体５若しくは四角い囲い状被覆体１９いずれかの前面下辺に沿って取り付けた重り兼用の開口用棒部材１４及び後面下辺に沿って取り付けた重り用棒部材１５に代わり、前記支持枠体１の前後左右４本の枠材下部に重り用リング５２…５２を通し、これら支持枠体１の枠材に対峙する前記被覆体５，１９の四隅に、各々縦軸に細いロープ（直径３ｍｍ〜５ｍｍ程度）など補強部材５１…５１を施し、これらの下端に前記重り用リング５２…５２を結んで固定し、又蓋体１１は投入口１３を持ち開口時に開口用蓋部材１１ｄを支える蓋部材１１ｃ,１１ｃの上面に開口用蓋部材１１ｄ,１１ｄを重ねてなる二重構造とし、そして前記開口用蓋部材１１ｄ，１１ｄ前方に開口用取手付棒部材５３，５３を取り付け、更に前記被覆体５，１９の開口前面４には回収口１２を確保するためファスナー２０ｃ若しくは面ファスナー２０を施す。尚、開口用蓋部材１１ｄは、破線の箇所で投入口１３を持ち開口時に開口用蓋部材１１ｄを支える蓋部材１１ｃに縫い付けて止める（図４２参照）。
【００７８】
前記重り用リング５２…５２は折畳ゴミ置場を折り畳んだ状態だと、上へあがっているが、折畳ゴミ置場を広げると下へさがり、前記四角い無蓋の箱型を呈する容器状被覆体５若しくは四角い囲い状被覆体１９が四方に引っ張られ、前記被覆体５，１９が極めて簡便に四角い形状となる。又、重り用リング５２…５２は前記被覆体５，１９を確り支えるため投入したゴミ入りポリ袋が外へ飛び出すようなことはない。細いロープなど補強部材５１…５１を、前記被覆体５，１９前後左右下部（裾の部分）へ横軸に、又、前面４及び後面４ａに２箇所ずつＸ字型に、更に前記被覆体５，１９の開口前面４のファスナー２０ｃに対峙する後面４ａ中央縦軸に取り付けると四角い箱（囲い）がより確りしたものになる（図４４参照）。
【００７９】
そして前記被覆体５，１９の開口前面４には開口用のファスナー２０ｃを施すが（図４２、図４３参照）、前記開口用ファスナー２０ｃは、前面被覆部材５ａの中央１箇所へ８５ｃｍ程度のファスナー２０ｃを、又は左右両側計２箇所に６０ｃｍ程度のファスナー２０ｃ，２０ｃを、下から上へ向けて開くように取り付け、閉じてあるファスナーを解除し、被覆部材５ａの下辺を手で持ち上げ、頂面３へ捲り上げると回収口１２が確保される。そして、前記中央１箇所のファスナー２０ｃの下部左右両側へ１個ずつフック９ｂ，９ｂ（図４２参照）、又、前記左右両側２箇所のファスナー２０ｃ，２０ｃの下部左右内側へ１個ずつフック９ｂ，９ｂ（図４３参照）を施し、これらフック９ｂを各々前方枠材１ａの上辺枠７（手前上辺枠）に引っ掛けて回収口１２を確保してもよい。更に図４５に示すように前面被覆部材５ａ中央部のやや上部から左右斜め下の隅まで各々開口用ファスナー２０ｃ，２０ｃを取り付け、開口前面４を上から左右斜め下に各々開けて回収口１２を確保することもできる。この場合は底面のない四角い囲い状被覆体１９を用いず、四角い無蓋の箱型を呈する容器状被覆体５を使用し、ファスナー２０ｃ，２０ｃの長さは折り畳みゴミ置き場の大きさに応じて調整し、Ｓサイズには８５ｃｍ〜９９ｃｍ、Ｍサイズには９９ｃｍ〜１１４ｃｍ、Ｌサイズには１１４ｃｍ〜１２８ｃｍ程度のものを用いる。尚、ファスナーはエレメントが腐蝕しないポリエステル製のストッパー付コイルファスナーを用いるとよい。
【００８０】
又、蓋体１１は図４２に示すように、投入口を持ち開口時に開口用蓋部材を支える蓋部材１１ｃを前方枠材１ａ上辺枠７（手前上辺枠）及び後方枠材１ｂの上辺枠８（後方上辺枠）へ紐で固定し、更に開口用蓋部材１１ｄ，１１ｄは投入口１３より横幅を左右５ｃｍ程度ずつ広いものを用い、その前方に各々前記開口用取手付棒部材５３，５３を取り付け、平常、前記開口用取手付棒部材５３，５３は前方枠材１ａの上辺枠７（手前上辺枠）に設けてある棒受フック５５，５５に止めておき、ゴミ入りポリ袋を投入するさい、前記開口用棒部材５３，５３の取手を握り持ち上げて後方へ移動させると、投入口１３，１３が確保される。
【００８１】
尚、図４２及び４３に示すように開口用取手付棒部材５３，５３及び開口用蓋部材１１ｄ，１１ｄは、投入口１３，１３より左右が５ｃｍ程度ずつ長く、投入口１３を全開しない場合でも投入口を持ち開口時に開口用蓋部材１ｄ，１ｄを支える蓋部材１１ｃ，１１ｃの左右両側に引っ掛かり、開口した部分の開口用蓋部材１１ｄ，１１ｄが折畳ゴミ置場の中に落ちることがない。又、図４２及び図４３に示す折畳ゴミ置き場は中型（Ｍサイズ）のため投入口１３は２箇所となっているが、小型折畳ゴミ置き場（Ｓサイズ）は蓋部材１１ａの投入口１３を１箇所とし、又、大型折畳ゴミ置き場（Ｌサイズ）の場合は蓋部材１１ａの投入口１３を並列して３箇所設けることができる。
【００８２】
更に図４６に示すように、棒受フック５４，５４を設けず、従って平常、投入口１３，１３を閉じた状態では、開口用取手付棒部材５３，５３を、前記棒受フック５５，５５に引っ掛けず、代わりに前記開口用取手付棒部材５３，５３を、前方枠材１ａの上辺枠７（手前上辺枠）の前面（手前外側）へ垂れ下げて重り代わりとし、結果的に棒受フック５５，５５に引っ掛けたと同じ効果をあげることができる。又、開口用取手付棒部材５３，５３の中央部は、各々開口用蓋部材１１ｄ，１１ｄを横幅１２ｃｍ×縦５ｃｍ程度カットし、そのカット部分５７，５７を取手代わりに手で握れるようにする（図４２，図４３及び図４６参照）。
【００８３】
図４７及び４８は本発明における第１６の実施形態を示すものであり、前記二重構造の蓋体１１における投入口１３を持ち開口時に開口用蓋部材１１ｄを支える蓋部材１１ｃを取り除き、代わりに図４７に示すように前記支持枠体１の前方枠材１ａの上辺枠７（手前上辺枠）と後方枠材１ｂの上辺枠８（後方上辺枠）とを結ぶ縦軸に、左右両側に１箇所ずつ、中央に２箇所計４箇所へ開口用蓋部材１１ｄを支える帯部材１１ｅ…１１e（図４７参照）及び紐部材１１ｆ…１１ｆ（図４８参照）を取り付け、開口のさい前記開口用蓋部材１１ｄが折畳ゴミ置場の中に落ちないようにする。これだと第１５の実施形態の折畳ゴミ置場より投入口１３が広くなりゴミ入りポリ袋の投入が容易である。尚、前記帯部材１１ｅ，１１ｅは面マジックテープで、又前記紐部材１１ｆ，１１ｆはカシメ金具で止めるとよい。
【００８４】
図４９，５０及び５１は本発明における第１７の実施形態を示すものであり、この形態の折畳ゴミ置き場は、前記四角い無蓋の箱型を呈する容器状被覆体５若しくは四角い囲い状被覆体１９の開口前面４に下から上へ持ち上げて開口する扉４ｂ，４ｂを設け、更に前記被覆体５，１９の開口前面４（扉４ｂ，４ｂ）及び後面４ａに補強部材５１…５１を施す。扉４ｂ，４ｂは、パイプ蝶番２７…２７で扉４ｂ，４ｂの上辺枠４ｃ，４ｃと前方枠材１ａの上辺枠７，７（手前上辺枠）を継ぎ、又、開口前面４左右の扉４ｂ，４ｂの外側に補助棒部材５１ａ，５１ａを取り付け、この補助棒部材５１ａ，５１ａの上部先端に揺動する機能１６ｂ，１６ｂを持たせて、前方枠材１ａの上辺枠７，７（手前上辺枠）に取り付け、更にこの下部先端には重り用リング止５２ａ，５２ａを施し、重り用リング５２，５２で前記補助棒部材５１ａ，５１ａの重り用リング止５２ａ，５２ａと、後方枠材１ｂの左右両側面下部８ｂ，８ｂ（手前左右両側面下部）とを結ぶ。補強部材５１…５１及び補助部材５１ａ，５１ａには、ステンレス、アルミニウム、チタンなどの棒部材（直径５ｍｍ程度）、塩化ビニール、ポリエチレンなどの棒部材（直径８ｍｍ〜１０ｍｍ程度）、若しくはステンレス、アルミニウム、チタン、塩化ビニール、ポリエチレンなどのパイプ材（直径１０ｍｍ〜２０ｍｍ程度）を用いる。
【００８５】
そして扉４ｂ，４ｂの下辺中央部４ｄ，４ｄに各々開口用のロック機能付取手４７ａ，４７ａを設け、このロック機能付取手４７ａ，４７ａを手で握り前方斜め上へ押してロックを解除し、扉４ｂ，４ｂを下から上へ持ちあげると扉４ｂ，４ｂが開き回収口１２が確保される。ゴミ回収後は、ロック機能付取手４７ａ，４７ａを握り、扉４ｂ，４ｂを下にさげ、ロック機能付取手４７ａ，４７ａを手前斜め下に引くと扉４ｂ，４ｂが閉じてロックがかかる。図４９は支持枠体１を開き折畳ゴミ置き場を形成した状態を示す正面図、又図５０は支持枠体１を閉じ折畳ゴミ置き場を折り畳んだ状態を示す背面図であり、図５０の場合、ロック機能付取手４７ａのロックを解除したうえ折り畳む。更に、開口前面４の扉４ｂ，４ｂ左右上部にストッパー付ステー４７ｂ…４７ｂを取り付け（図４９参照）、扉４ｂ，４ｂを下から上へ持ちあげると、ストッパー付ステー４７ｂ…４７ｂの働きで扉４ｂ，４ｂが１３５°以上開いたまま任意の角度で停止し、ゴミ回収作業が容易になるようにする。更に、図５１に示すように、補強部材５１で前面４を覆う前記被覆体５，１９と同じ大きさの矩形枠５１ｂをつくり、これに縦・横十文字型に補強部材５１…５１を施し、下方の開口前面４には前記図４９の扉４ｂ，４ｂより縦軸の長さを５０ｃｍ程度に短縮した横長の扉４ｅ，４ｅを嵌め込んで用いることもでき、この場合、前記扉４ｅ，４ｅはパイプ蝶番２７…２７で前記扉４ｅ，４ｅの上辺枠４ｆ，４ｆと開口前面４の横軸補強部材５１ｆ…５１ｆとを継ぎ、前記扉４ｅ，４ｅを開閉できるようにする。
【００８６】
一方、図４９の後面４ａは図５０に示すように補強部材５１で後面４ａを覆う前記被覆体５，１９と同じ縦・横の大きさの矩形枠５１ｂをつくり、この矩形枠５１ｂの横軸中央５１ｃへ縦軸に補強部材５１を入れ、更に、左右に各々Ｘ字型に補強部材５１を加え、前記矩形５１ｂの上辺枠５１ｇと後方枠材１ｂの上辺枠８（後方上辺枠）とを揺動機能を持たせた継手１６ｂ…１６ｂで、その左右及び中央の３箇所を継ぎ、又、前記矩形枠５１ｂの下辺左右両側５１ｄ，５１ｄと、前記前方枠材１ａの左右両側面下部８ｃ，８ｃ（後方左右両側面下部）とを重り用リング５２，５２で結んでなる。尚、図５１に示す折畳ゴミ置き場の後面４ａ（図面は省略）は、前面（図５１参照）同様に縦・横十文字に補強部材５１を入れた矩形枠材５１ｂでなり、但し前記扉４ｅ，４ｅを用いない。
【００８７】
図５２は本発明における第１８の実施形態を示すものであり、この形態では開口頂面３に蓋体１１を取り付けず、蓋体１１のない折畳ゴミ置き場としたものである。カラスの被害がない地域ではむしろ蓋体がない方がゴミ入りポリ袋の投入が容易で利便性がある。
【００８８】
図５３及び５４は本発明における第１９の実施形態を示すものであり、この形態では前記２枚の四角い枠材をＸ字型に交差させてなる支持枠体１における前方枠材１ａ及び後方枠材１ｂの左右両側枠の長さを、各々どちらか一方を長く、他の一方を短くし、前方枠材１ａの上辺枠７（手前上辺枠）と後方枠材１ｂの上辺枠８（後方上辺枠）を水平に保ち、前方枠材１ａの下辺枠７ａ（後方下辺枠）と後方枠材１ｂの下辺枠８ａ（手前下辺枠）に左上り、或は右上りの傾斜を付ける。即ち設置した折畳ゴミ置き場の正面に向って、路面の勾配が左上りだと左側枠１ｆを短く、右側枠１ｇを長くし（図５３参照）、又これとは反対に路面の勾配が右上りだと右側枠１ｇを短く、左側枠１ｆを長くする（図５４参照）。そして図５３及び図５４に示すように四角い無蓋の箱型を呈する容器状被覆体５又は四角い囲い状被覆体１９の形状も前記支持枠体１，１の下辺が左上り或は右上りの形状に合わせてつくる。従って勾配ある路面に設置しても折畳ゴミ置き場は傾かず、路面と被覆体下部との間に隙間が空くことがない。尚、前方枠材１ａ及び後方枠材１ｂの左右両側枠の長さは、各々設置する路面の勾配に合わせて決める。
【００８９】
請求項２０は、本発明における第２０の実施形態であり、前記各請求項では、四角い無蓋の箱型を呈する容器状被覆体５若しくは四角い囲い状被覆体１９いずれも前面開口の被覆体になっているのを後面開口の前記被覆体５，１９、又は前面開口及び後面開口双方可能の前記被覆体５，１９とするものであり、従ってゴミ入りポリ袋の回収が折畳ゴミ置き場の後面からでもできるようになり、これだと例えば折畳ゴミ置き場を車道寄りの舗道上に背を向けて設置した場合でも、ゴミ入りポリ袋の回収が折畳ゴミ置き場の後面、即ちゴミ収集車に最も近い車道側から回収でき、その分回収作業の効率があがる（図面は省略）。
【００９０】
図５５及び５６は本発明における第２１の実施形態であり、図５５に示すように前記支持枠体１における後方枠材１ｂの下辺枠８ａ（手前下辺枠）を取り除き、前記後方枠材１ｂの左右両側先端８ｄ，８ｄ（手前左右両側先端）にキャスター５６，５６を設け、底面１９ａのない四角い囲い状被覆体１９を用い、又、前記開口用ファスナー２０ｃは被覆体１９の開口前面４左右両端に９０ｃｍ程度のファスナー２０ｃ，２０ｃを、下から上へ向けて開くように取り付けてなる。これだとゴミ回収のさい左右のファスナー２０ｃ，２０ｃを解除し、前方枠材１ａの上辺枠７（手前上辺枠）を握り、後方に押して折畳ゴミ置き場を折り畳むと、図５６に示すように投入したゴミ入りポリ袋は剥き出しになり、極めて容易にゴミ回収作業ができる。
【図面の簡単な説明】
【００９１】
【図１】本発明における第１の実施の形態で投入口を確保した状態を示す斜視図。
【図２】図１に示した実施の形態において投入口を閉じるとともに回収口を確保した状態を示す斜視図。
【図３】図１に示した実施の形態において折り畳んだ状態を示す斜視図。
【図４】図１に示した実施の形態において帯部材をフックで止め投入口を確保した状態を示す斜視図。
【図５】図１に示した実施の形態において引掛付棒部材に揺動機能を持たせた継手で継ぎ、更にボタン状フックを設けた状態を示す拡大正面図及び側面図。
【図６】図１に示した実施の形態において帯部材の取付手段を示す拡大斜視図。
【図７】図１に示した実施の形態において異なる種類の帯部材の取付手段を示す拡大斜視図。
【図８】図１に示した実施の形態において被覆材のワッカ部分に糊材を噴霧付着した状態を示す拡大斜視図。
【図９】図１に示した実施の形態において被覆材の異なる種類のワッカ部分に糊材を噴霧付着した状態を示す拡大斜視図。
【図１０】本発明における第２の実施の形態を示す斜視図。
【図１１】本発明における第３の実施の形態を示す斜視図。
【図１２】図１１に示した実施の形態において回収口を確保した状態を示す斜視図。
【図１３】図１１に示した実施の形態において折り畳んだ状態を示す斜視図。
【図１４】本発明における第４の実施の形態を示す斜視図とその一部拡大図。
【図１５】図１４に示した実施の形態において接続係止具の具体例を示す拡大正面図。
【図１６】本発明における第５の実施の形態を示す斜視図。
【図１７】図１６に示した実施の形態において折り畳んだ状態を示す斜視図。
【図１８】図１６に示した実施の形態における軸継手部分を示す拡大正面図。
【図１９】図１８の側面図。
【図２０】本発明における第６の実施の形態において投入口を確保した状態を示す斜視図。
【図２１】図２０に示した実施の形態において投入口を閉じるとともに回収口を確保した状態を示す斜視図とその一部拡大図。
【図２２】図２０に示した実施の形態において折畳ゴミ置き場を折り畳むため、開口用棒部材を持ち上げて後面用棒部材上辺枠まで持っていき止め金に止め、開口前面の被覆体を開口上面へ移動した状態を示す斜視図。
【図２３】図２０に示した実施の形態における折り畳んだ状態を示す斜視図とその一部拡大図。
【図２４】本発明における第７の実施の形態の斜視図とその一部拡大図。
【図２５】図２４に示した実施の形態において回収口を形成する際の過程を示す斜視図。
【図２６】図２４に示した本発明の第７の実施の形態における異なる支持枠体を用いた斜視図とその一部拡大図。
【図２７】図２６に示した実施の形態において回収口を形成する際の過程を示す斜視図とその一部拡大図。
【図２８】本発明における第８の実施の形態においての斜視図とその一部拡大図。
【図２９】図２８に示した実施の形態において異なる非固定型取手を用いた状態を示す斜視図とその一部拡大図。
【図３０】本発明における第９の実施の形態を示す斜視図とその一部拡大図。
【図３１】図３０に示した実施の形態において異なる非固定型取手を用いた状態を示す斜視図とその一部拡大図。
【図３２】本発明における第１０の実施の形態を示す斜視図。
【図３３】図３２に示した実施の形態において異なる非固定型取手を用いた状態を示す斜視図。
【図３４】本発明における第１１の実施の形態を示す斜視図とその一部拡大図。
【図３５】本発明における第１２の実施の形態を示す斜視図とその一部拡大図。
【図３６】図３５に示した実施の形態における異なる固定金具を用いた状態を示す斜視図とその一部拡大図。
【図３７】本発明における第１３の実施の形態を示す上面図。
【図３８】図３７に示した実施の形態におけるレール用ロープ取付フックにレール用ロープを取り付けた状態を示す拡大側面図及び平面図。
【図３９】本発明における第１４の実施の形態を示すもので図１に示した実施の形態においてコロを用いた斜視図。
【図４０】本発明における第１４の実施の形態を示すもので図２０に示した実施の形態においてコロを用いた斜視図。
【図４１】図３９及び図４０に示した実施例の形態において用いたコロの拡大断面図。
【図４２】本発明における第１５の実施の形態において中央１箇所へファスナーを設けた斜視図。
【図４３】図４２に示した実施の形態において左右２箇所へファスナーを設けた斜視図とその一部拡大断面図。
【図４４】図４２に示した実施の形態において補強用のロープを施した斜視図。
【図４５】図４２に示した実施の形態において中央部のやや上部から左右斜め下の隅までファスナーを設けた正面図。
【図４６】図４２に示した実施の形態において開口用取手付棒部材を前面に垂らした状態を示す斜視図とその一部拡大斜視図。
【図４７】本発明における第１６の実施の形態を示すもので開口用蓋部材を支える帯部材を用いた斜視図。
【図４８】図４７に示した実施の形態において開口蓋部材を支える紐部材を用いた斜視図。
【図４９】本発明における第１７の実施の形態を示すもので支持枠体を開いた状態における補強部材にステンレス棒部材を施した開口前面の正面図とその一部拡大斜視図及び断面図。
【図５０】図４９に示した実施の形態において支持枠体を閉じた状態における補強部材にステンレス棒部材を施した後面を示す背面図。
【図５１】図４９に示した実施の形態において異なる扉を用いた状態を示す正面図。
【図５２】本発明における第１８の実施の形態を示す斜視図。
【図５３】本発明における第１９の実施の形態において左側枠を短く右側枠を長くした形態を示す正面図。
【図５４】図５３に示した実施の形態において右側枠を短く左側枠を長くした形態を示す正面図。
【図５５】本発明における第２１の実施形態を示す斜視図。
【図５６】図５５に示した実施の形態で折畳ゴミ置き場を折り畳んだ状態を示す斜視図。
【符号の説明】
【００９２】
１  支持枠体、１ａ  前方枠材、１ｂ  後方枠材、１ｃ  後面用枠材、１ｄ  左右両側面用枠材、１ｅ  左右両側面用枠材１ｄの下辺枠、１ｆ  左側枠、１ｇ  右側枠、２  軸継手、３  頂面（開口頂面）、４  前面（開口前面）、４ａ  後面、４ｂ  扉、４ｃ  扉４ｂの上辺枠、４ｄ  扉４ｂの下辺中央部、４ｅ  横長の扉、４ｆ  横長の扉４ｅの上辺枠、５  無蓋の箱型を呈する容器状被覆体、５ａ  被覆部材、５ｂ  被覆体５の前面上辺、５ｃ  被覆体の前面下辺、６  被覆体の後面上辺、６ａ  後面下辺、７  前方枠材１ａの上辺枠（手前上辺枠）、７ａ  前方枠材１ａの下辺枠（後方下辺枠）、８  後方枠材１ｂの上辺枠（後方上辺枠）、８ａ  後方枠材１ｂの下辺枠（手前下辺枠）、８ｂ  後方枠材１ｂの左右両側面下部（手前左右両側面下部）、８ｃ  前方枠材１ａの左右両側面下部（後方左右両側面下部）、８ｄ  後方枠材１ｂの左右両側先端（手前左右両側先端）、９  伸縮自在の帯部材、９ａ  コイルバネ、９ｂ  フック、１０  帯部材取付金具、１０ａ  接続係止金具，１０ｂ  係止フック、１１  蓋体、１１ａ  蓋部材、１１ｂ  蓋部材止め部分、１１ｃ  投入口を持ち開口時に開口用蓋田部材を支える蓋部材、１１ｄ  開口用蓋部材、１１ｅ  開口用蓋部材を支える帯部材、１１ｆ  開口用蓋部材を支える紐部材、１２  回収口、１３  投入口、１４  重り兼用の開口用棒部材、１４ａ  止め金付取手、１５  重り用棒部材、１６  引掛付棒部材、１６ａ  引掛、１６ｂ  揺動機能を持たせた継手、１７，１７ａ，１７ｂ，１７ｃ  止め金、１８  輪（ワッカ）、１９  囲い状被覆体、１９ａ  底面、１９ｂ  裾、２０  面ファスナー、２０ａ  面ファスナーのオス、２０ｂ  面ファスナーのメス、２０ｃ  ファスナー、２１  開閉部切込、２２  帯状テープ、２３  蓋部材取付用棒部材、２４  バネ部材、２５  取手付止め具、２６  握り、２７  パイプ蝶番、２７ａ  バネ付パイプ蝶番、２８  後面用枠材１ｃ上辺枠、２９  取手付前面開口用棒部材、３０  打掛、３１  支え用切込、３２  バネ内蔵継手付枠材、３２ａ  バネ内蔵継手、３３  バネ止め金、３４  止め棒、３５  摘み付ダブル係止フック、３５ａ  摘み付ダブル係止環、３６  前方縦枠、３６ａ  前方縦枠上部、３７  摘み付係止フック、３７ａ  係止環、３８，３８ａ  非固定型取手、３９，３９ａ  フック付非固定型取手、４０  チューブ、４１  揺動機能付固定金具、４２  後面用枠材下辺枠、４３  固定金具、４４  固定用金属板、４５  レール用ロープ、４５ａ  輪状、４６  レール用ロープ係止金具、４７  取手付蓋体開口用棒部材、４７ａ  ロック機能付取手、４７ｂ  ストッパー付ステー、４８  二重リング、４９  孔、５０  コロ、５０ａ  コロストッパー、５１  補強部材、５１ａ  補助棒部材、５１ｂ  矩形枠、５１ｃ  矩形枠５１ｂの横軸中央、５１ｄ  矩形枠５１ｂの下辺左右両側、５１ｅ  矩形枠５１ｂの上辺枠、５１ｆ  横軸補強部材、５２  重り用リング、５２ａ  リング止、５３  開口用取手付棒部材、５４  棒受フック、５５  カット部分、５６  キャスター。
【図１】
2005187186.tif 000003
【図２】
2005187186.tif 000004
【図３】
2005187186.tif 000005
【図４】
2005187186.tif 000006
【図５】
2005187186.tif 000007
【図６】
2005187186.tif 000008
【図７】
2005187186.tif 000009
【図８】
2005187186.tif 000010
【図９】
2005187186.tif 000011
【図１０】
2005187186.tif 000012
【図１１】
2005187186.tif 000013
【図１２】
2005187186.tif 000014
【図１３】
2005187186.tif 000015
【図１４】
2005187186.tif 000016
【図１５】
2005187186.tif 000017
【図１６】
2005187186.tif 000018
【図１７】
2005187186.tif 000019
【図１８】
2005187186.tif 000020
【図１９】
2005187186.tif 000021
【図２０】
2005187186.tif 000022
【図２１】
2005187186.tif 000023
【図２２】
2005187186.tif 000024
【図２３】
2005187186.tif 000025
【図２４】
2005187186.tif 000026
【図２５】
2005187186.tif 000027
【図２６】
2005187186.tif 000028
【図２７】
2005187186.tif 000029
【図２８】
2005187186.tif 000030
【図２９】
2005187186.tif 000031
【図３０】
2005187186.tif 000032
【図３１】
2005187186.tif 000033
【図３２】
2005187186.tif 000034
【図３３】
2005187186.tif 000035
【図３４】
2005187186.tif 000036
【図３５】
2005187186.tif 000037
【図３６】
2005187186.tif 000038
【図３７】
2005187186.tif 000039
【図３８】
2005187186.tif 000040
【図３９】
2005187186.tif 000041
【図４０】
2005187186.tif 000042
【図４１】
2005187186.tif 000043
【図４２】
2005187186.tif 000044
【図４３】
2005187186.tif 000045
【図４４】
2005187186.tif 000046
【図４５】
2005187186.tif 000047
【図４６】
2005187186.tif 000048
【図４７】
2005187186.tif 000049
【図４８】
2005187186.tif 000050
【図４９】
2005187186.tif 000051
【図５０】
2005187186.tif 000052
【図５１】
2005187186.tif 000053
【図５２】
2005187186.tif 000054
【図５３】
2005187186.tif 000055
【図５４】
2005187186.tif 000056
【図５５】
2005187186.tif 000057
【図５６】
2005187186.tif 000058